(57)【要約】【課題】比較的大型で高出力の電動工具である手持式電動研磨機の電源として低出力用のバッテリを使用できるようにすることにより、低出力の電動工具とバッテリを共通化して、低出力の電動工具と区別なくバッテリを使用可能として、手持式電動研磨機の使用上の利便性及び取扱性を高める。【解決手段】バッテリ１０を電源とするモータによってサンディングベルト２１を作動させて、木材の研磨を行う手持式電動研磨機であって、モータを収納するハウジング３１と、ハウジング３１に固定され、手持式電動研磨機の使用時に把持部とされるハンドル４１とを備える手持式電動研磨機において、ハウジング３１の上面には、電源として複数個のバッテリ１０が取り付けられることによりこれら複数個のバッテリ１０を直列接続させるバッテリ取付部が設けられている。【選択図】図１
2014148018.tif 000002
【特許請求の範囲】
【請求項１】
バッテリを電源とするモータによって研磨体を作動させて、被研磨材の研磨を行う手持式電動研磨機であって、
前記モータを収納するハウジングと、
該ハウジングに固定され、手持式電動研磨機の使用時に把持部とされるハンドルとを備える手持式電動研磨機において、
前記ハウジング又はハンドルの外表面には、前記電源として複数個のバッテリが取り付けられることによりこれら複数個のバッテリを直列接続させるバッテリ取付部が直接又は間接的に設けられていることを特徴とする手持式電動研磨機。
【請求項２】
請求項１において、
前記研磨体は、前記ハウジングの下部に設けられた無端ベルトによって構成され、
前記バッテリ取付部は、前記複数個のバッテリが、前記ハウジングの上面に取り付けられるように設けられていることを特徴とする手持式電動研磨機。
【請求項３】
請求項１において、
前記研磨体は、前記ハウジングの下部に設けられた無端ベルトによって構成され、
前記ハンドルは、前記ハウジングから離れる一方向に延びて構成され、
前記バッテリ取付部は、前記複数個のバッテリが、前記ハウジングの前記一方向とは反対方向側面に取り付けられるように設けられていることを特徴とする手持式電動研磨機。
【請求項４】
請求項１において、
前記研磨体は、前記ハウジングの下部に設けられた無端ベルトによって構成され、
前記ハンドルは、前記ハウジングから離れる一方向に延びて構成され、
前記バッテリ取付部は、前記複数個のバッテリが、前記ハウジングの前記一方向に対して側方面に取り付けられるように設けられていることを特徴とする手持式電動研磨機。
【請求項５】
請求項１において、
前記研磨体は、前記ハウジングの下部に設けられた無端ベルトによって構成され、
前記ハンドルは、前記ハウジングから離れる一方向に延びて構成され、
前記ハンドルは、環状に構成され、その環状内側で、手持式電動研磨機の使用時、下向きとなる側に手持式電動研磨機の起動停止を行うスイッチ操作部が設けられ、
前記バッテリ取付部は、前記複数個のバッテリが、前記ハンドルの前記一方向側の端部の環状外側に取り付けられるように設けられていることを特徴とする手持式電動研磨機。
【請求項６】
請求項１において、
前記ハウジングに対し、互いに反対方向に延びて前記ハンドル及び前記研磨体が設けられ、
前記バッテリ取付部は、前記複数個のバッテリが、前記ハウジングの外表面上で、前記ハンドル及び前記研磨体が延びる側にそれぞれ取り付けられるように設けられていることを特徴とする手持式電動研磨機。
【請求項７】
請求項１において、
前記ハウジングに対し、互いに反対方向に延びて前記ハンドル及び前記研磨体が設けられ、
前記ハウジングには、該ハウジングの外形形状を変更するアダプタが被せられ、
前記バッテリ取付部は、前記複数個のバッテリが、前記アダプタの外表面上で、前記ハンドル及び前記研磨体が延びる側にそれぞれ取り付けられるように設けられていることを特徴とする手持式電動研磨機。
【請求項８】
請求項１において、
前記ハウジングに対し、互いに反対方向に延びて前記ハンドル及び前記研磨体が設けられ、
前記ハンドルは、環状に構成され、その環状内側で、手持式電動研磨機の使用時、下向きとなる側に、手持式電動研磨機の起動停止を行うスイッチ操作部が設けられ、
前記バッテリ取付部は、前記複数個のバッテリが、前記ハンドルの環状外側下部に取り付けられるように設けられていることを特徴とする手持式電動研磨機。
【発明の詳細な説明】
【技術分野】
【０００１】
この発明は、被研磨材に対して研磨加工を行う手持式電動研磨機に関し、特に、充電式のバッテリパック（以下、単にバッテリと言う）を電源として用いる手持式電動研磨機に関する。
【背景技術】
【０００２】
充電式のバッテリを電源として用いる手持式電動研磨機に関する技術が下記特許文献１に開示されている。この種の電動工具のバッテリには、出力電圧が例えば１８Ｖや３６Ｖのものが提供されている。比較的小形で小出力の機種であれば１８Ｖ出力のバッテリ（１８Ｖバッテリ）が用いられ、より高出力を要する比較的大形の機種の場合には３６Ｖ出力のバッテリ（３６Ｖバッテリ）が用いられる。
【先行技術文献】
【特許文献】
【０００３】
【特許文献１】実開平４−１０２７８３号公報
【発明の概要】
【発明が解決しようとする課題】
【０００４】
そのため、小形、大形を含む多種類の電動工具を用いるユーザーの場合、電動工具が小形か大形かに応じて複数種類のバッテリを使い分ける必要があり、電動工具使用上の取扱性が悪かった。
このような問題に鑑み本発明の課題は、比較的大形で高出力の電動工具である手持式電動研磨機の電源として低出力用のバッテリを使用できるようにすることにより、低出力の電動工具とバッテリを共通化して、高出力用のバッテリを不要とし、低出力の電動工具と区別なくバッテリを使用可能として、手持式電動研磨機の使用上の利便性及び取扱性を高めることにある。
【課題を解決するための手段】
【０００５】
本発明の第１発明は、バッテリを電源とするモータによって研磨体を作動させて、被研磨材の研磨を行う手持式電動研磨機であって、前記モータを収納するハウジングと、
該ハウジングに固定され、手持式電動研磨機の使用時に把持部とされるハンドルとを備える手持式電動研磨機において、前記ハウジング又はハンドルの外表面には、前記電源として複数個のバッテリが取り付けられることによりこれら複数個のバッテリを直列接続させるバッテリ取付部が直接又は間接的に設けられていることを特徴とする。
第１発明によれば、手持式電動研磨機が比較的大形で高出力の場合でも、その電源として複数個のバッテリが互いに直列接続して構成されるため、バッテリとして広く普及している低出力用のバッテリを使用することができる。そのため、低出力の電動工具と区別なくバッテリを使用可能として、手持式電動研磨機の使用上の利便性及び取扱性を高めることができる。
【０００６】
本発明の第２発明は、上記第１発明において、前記研磨体は、前記ハウジングの下部に設けられた無端ベルトによって構成され、前記バッテリ取付部は、前記複数個のバッテリが、前記ハウジングの上面に取り付けられるように設けられていることを特徴とする。
第２発明によれば、手持式電動研磨機を操作する際に邪魔とならないようにバッテリを取り付けることができる。
【０００７】
本発明の第３発明は、上記第１発明において、前記研磨体は、前記ハウジングの下部に設けられた無端ベルトによって構成され、前記ハンドルは、前記ハウジングから離れる一方向に延びて構成され、前記バッテリ取付部は、前記複数個のバッテリが、前記ハウジングの前記一方向とは反対方向側面に取り付けられるように設けられていることを特徴とする。
第３発明によれば、手持式電動研磨機を操作する際に邪魔とならないようにバッテリを取り付けることができる。
【０００８】
本発明の第４発明は、上記第１発明において、前記研磨体は、前記ハウジングの下部に設けられた無端ベルトによって構成され、前記ハンドルは、前記ハウジングから離れる一方向に延びて構成され、前記バッテリ取付部は、前記複数個のバッテリが、前記ハウジングの前記一方向に対して側方面に取り付けられるように設けられていることを特徴とする。
第４発明によれば、手持式電動研磨機を操作する際に邪魔とならないようにバッテリを取り付けることができる。
【０００９】
本発明の第５発明は、上記第１発明において、前記研磨体は、前記ハウジングの下部に設けられた無端ベルトによって構成され、前記ハンドルは、前記ハウジングから離れる一方向に延びて構成され、前記ハンドルは、環状に構成され、その環状内側で、手持式電動研磨機の使用時、下向きとなる側に手持式電動研磨機の起動停止を行うスイッチ操作部が設けられ、前記バッテリ取付部は、前記複数個のバッテリが、前記ハンドルの前記一方向側の端部の環状外側に取り付けられるように設けられていることを特徴とする。
第５発明によれば、手持式電動研磨機を操作する際に邪魔とならないようにバッテリを取り付けることができる。
【００１０】
本発明の第６発明は、上記第１発明において、前記ハウジングに対し、互いに反対方向に延びて前記ハンドル及び前記研磨体が設けられ、前記バッテリ取付部は、前記複数個のバッテリが、前記ハウジングの外表面上で、前記ハンドル及び前記研磨体が延びる側にそれぞれ取り付けられるように設けられていることを特徴とする。
第６発明によれば、手持式電動研磨機を操作する際に邪魔とならないようにバッテリを取り付けることができる。
【００１１】
本発明の第７発明は、上記第１発明において、前記ハウジングに対し、互いに反対方向に延びて前記ハンドル及び前記研磨体が設けられ、前記ハウジングには、該ハウジングの外形形状を変更するアダプタが被せられ、前記バッテリ取付部は、前記複数個のバッテリが、前記アダプタの外表面上で、前記ハンドル及び前記研磨体が延びる側にそれぞれ取り付けられるように設けられていることを特徴とする。
第７発明によれば、手持式電動研磨機を操作する際に邪魔とならないようにバッテリを取り付けることができる。
【００１２】
本発明の第８発明は、上記第１発明において、前記ハウジングに対し、互いに反対方向に延びて前記ハンドル及び前記研磨体が設けられ、前記ハンドルは、環状に構成され、その環状内側で、手持式電動研磨機の使用時、下向きとなる側に、手持式電動研磨機の起動停止を行うスイッチ操作部が設けられ、前記バッテリ取付部は、前記複数個のバッテリが、前記ハンドルの環状外側下部に取り付けられるように設けられていることを特徴とする。
第８発明によれば、手持式電動研磨機を操作する際に邪魔とならないようにバッテリを取り付けることができる。
【図面の簡単な説明】
【００１３】
【図１】本発明の第１実施形態の側面図である。
【図２】上記第１実施形態の平面図である。
【図３】本発明の第２実施形態の側面図である。
【図４】上記第２実施形態の正面図である。
【図５】上記第２実施形態の平面図である。
【図６】本発明の第３実施形態の側面図である。
【図７】上記第３実施形態の正面図である。
【図８】上記第３実施形態の平面図である。
【図９】本発明の第４実施形態の側面図である。
【図１０】上記第４実施形態の正面図である。
【図１１】上記第４実施形態の平面図である。
【図１２】本発明の第５実施形態の側面図である。
【図１３】上記第５実施形態の正面図である。
【図１４】上記第５実施形態の平面図である。
【図１５】本発明の第６実施形態の側面図である。
【図１６】上記第６実施形態の平面図である。
【図１７】図１５の反対側の側面図である。
【図１８】本発明の第７実施形態の側面図である。
【図１９】上記第７実施形態の平面図である。
【図２０】図１８の反対側の側面図である。
【図２１】本発明の第８実施形態の側面図である。
【図２２】上記第８実施形態の平面図である。
【図２３】上記第１実施形態のバッテリ取付部をバッテリと共に示す正面図である。
【発明を実施するための形態】
【００１４】
＜第１実施形態＞
図１、２によって本発明の第１実施形態を説明する。第１実施形態は被研磨材である木材に対して研磨を行うベルトサンダであり、このベルトサンダは定格電圧が３６Ｖで、電源として１８Ｖバッテリ１０を２個直列接続して使用している。この第１実施形態において、バッテリ１０を２個直列接続して使用している点を除いて従来公知のベルトサンダと同一であり、このベルトサンダについての詳細な説明は省略する。
なお、図１、２の各図中、交差する矢印で示す各方向は、ベルトサンダを中心として、それぞれ表記したとおりの方向を示している。図面に関する以上の説明は、以下の各実施形態の各対応図において同様である。
【００１５】
ベルトサンダは、バッテリ１０を電源とするモータ（不図示）によってサンディングベルト２１が回転作動されるように構成されている。サンディングベルト２１は無端ベルト状に形成され、前後に配置された一対のローラ２２によって回転可能とされている。また、一対のローラ２２のうち後方側のローラ（不図示）は、駆動ベルト（不図示）を介して上記モータによって回転駆動されている。モータはハウジング３１によって被われており、サンディングベルト２１は研磨体カバー２３によって被われており、駆動ベルトはベルトカバー３２によって被われている。研磨体カバー２３及びベルトカバー３２は、ハウジング３１に一体に設けられている。
ハウジング３１の上部後方と研磨体カバー２３の後端部上方との間に掛け渡されて作業者が把持するのに適当な太さのハンドル４１が設けられ、ハンドル４１はハウジング３１及び研磨体カバー２３の外表面と共に環状に形成されている。この結果、ハンドル４１はハウジング３１から後方（本発明における一方向に相当）に離れるように延びて構成されている。環状の内側でハンドル４１の下部には、モータの起動及び停止を指令するスイッチ操作部４３が設けられている。
また、ハウジング３１を挟んでハンドル４１の反対側であるハウジング３１の上部前方には前方グリップ４２が設けられ、ベルトサンダを使用する際に作業者が片手でハンドル４１を把持し、他方の手で前方グリップ４２を握って、木材の上でベルトサンダを摺動させて木材の研磨を行うことができるようにしている。
ハウジング３１の上部左方には、研磨粉排出口５１が設けられ、サンディングベルト２１によって研磨された結果出る木材の粉をハウジング３１の外に排出するようにしている。図示を省略したが、研磨粉排出口５１には集塵袋が接続される。
【００１６】
２個のバッテリ１０は、ハウジング３１の上面にバッテリ取付部（不図示）を介して取り付けられ、しかもバッテリ１０の取付方向が、図２に斜線付き矢印で示すようにハウジング３１の上面に沿う方向であり、且つ前方向とされている。各バッテリ１０が上記斜線付き矢印で示す方向に押し込まれることにより、各バッテリ１０側の取付部（不図示）とハウジング３１側のバッテリ取付部（不図示）が結合されて、ベルトサンダの電源端子（不図示）に２個のバッテリ１０が直列に接続されるように構成されている。
２個のバッテリ１０は、ハウジング３１の上面に並べて取り付けられ、上下高さがハウジング３１の上下高さを僅かに高くするが、左右方向はベルトサンダの左右幅と略等しくされ、前後方向はハウジング３１の前後長と略等しくされている。バッテリ１０のハウジング３１から突出する高さを低く抑えるため、バッテリ１０の前後、左右、上下の各寸法の中で、上下方向が最も小さくなるようにバッテリ１０は配置されている。このため、２個のバッテリ１０がベルトサンダを使用する作業に殆ど影響を与えない。
【００１７】
なお、図１、２では図示を省略したが、ハウジング３１の上面にはバッテリ取付部が設けられている。このバッテリ取付部の詳細を図２３に示す。図２３において、バッテリ取付部６０には、２個のバッテリ１０が取り付けられ、且つ電気的な接続を行うため、バッテリ２個分の接続端子６１、６２、各一対のレール受部６３、６３、爪係止部６４が設けられている。接続端子６１、６２は各バッテリ１０の正負各極の電極とそれぞれ接続するものであり、レール受部６３はバッテリ１０側の取付部のレール部（不図示）と係合して、図２３で矢印で示す方向にバッテリ１０を挿入することによりバッテリ１０を機械的に保持させるものである。また、爪係止部６４はバッテリ１０が上記のように挿入されて保持されたとき、その状態が維持されるように、バッテリ１０側に設けられた爪部（不図示）と係合するものである。このようなバッテリ取付部６０は、バッテリ１個分のバッテリ取付部が従来より公知であり、ここではバッテリ２個分とするためにバッテリ１個分のバッテリ取付部を２個並べて設けている。
【００１８】
以上の第１実施形態によれば、定格電圧が３６Ｖのベルトサンダに対して３６Ｖのバッテリを使用するのではなく、１８Ｖのバッテリ１０を２個使用しているため、バッテリとして広く普及している１８Ｖバッテリを使用することができる。そのため、低出力の電動工具と区別なく１８Ｖバッテリを使用可能として、定格電圧が３６Ｖのベルトサンダの使用上の利便性及び取扱性を高めることができる。しかも、２個のバッテリ１０は、ハウジング３１の上面で、ハンドル４１及び前方グリップ４２から離れた位置に取り付けられるため、バッテリ１０が２個とされた結果、バッテリの占有スペースが大きくなっても、ハンドル４１及び前方グリップ４２を把持する際にバッテリ１０が邪魔にならないようにすることができる。
【００１９】
＜第２実施形態＞
図３〜５によって本発明の第２実施形態を説明する。第２実施形態が上述の第１実施形態に対して特徴とする点は、２個のバッテリ１０のベルトサンダ内での取付方向を変えた点であり、その他は両者全く同一のため、同一部分には同一符号を付して再度の説明は省略する。但し、図３〜５では、図１、２に比べて全体として構成を簡略化して示している。なお、図３〜５の各図中、本発明において重要なバッテリ１０には目立つようにハッチングを施している。図面に関する以上の説明は、以下の各実施形態の各対応図において同様である。
第２実施形態のベルトサンダでは、図５の斜線付き矢印で示すように、２個のバッテリ１０がハウジング３１の上面に右方向から取り付けられるように構成されている。従って、バッテリ取付部（不図示）の方向も、上記第１実施形態の場合とは９０度ずらして配置されている。
このように、第２実施形態と第１実施形態とではバッテリ１０の取付方向が相違するのみで、その他は全く同一であるため、両者の作用効果に関しては基本的に差はない。
【００２０】
＜第３実施形態＞
図６〜８によって本発明の第３実施形態を説明する。第３実施形態が上述の第１実施形態に対して特徴とする点は、２個のバッテリ１０のベルトサンダ内での取付位置を変えた点であり、その他は両者全く同一のため、同一部分には同一符号を付して再度の説明は省略する。
第３実施形態のベルトサンダでは、端子電圧が１８Ｖのバッテリ１０が２個直列に接続されるようにハウジング３１の前部に第１実施形態と同様のバッテリ取付部（不図示）を介して取り付けられている。
【００２１】
２個のバッテリ１０は、図６の斜線付き矢印で示す方向に押し込まれることにより、各バッテリ１０側の取付部（不図示）とハウジング３１Ａ側のバッテリ取付部（不図示）が結合されて、ベルトサンダの電源端子（不図示）に２個のバッテリ１０が直列に接続されるように構成されている。このようにバッテリ１０が取り付けられたとき、２個のバッテリ１０は、左右方向がハウジング３１の左右幅内に収まり、前後方向は研磨体カバー２３の前端部から突出しないようにされ、上下方向もハウジング３１の上下幅内に収まるように形成されている。このため、２個のバッテリ１０がベルトサンダを使用する作業に殆ど影響を与えない。
この第３実施形態によれば、上述の第１実施形態と同様な作用効果を達成することができる。
【００２２】
＜第４実施形態＞
図９〜１１によって本発明の第４実施形態を説明する。第４実施形態が上述の第１実施形態に対して特徴とする点は、２個のバッテリ１０のベルトサンダ内での取付位置を変えた点であり、その他は両者全く同一のため、同一部分には同一符号を付して再度の説明は省略する。
第４実施形態のベルトサンダでは、端子電圧が１８Ｖのバッテリ１０が、２個直列に接続されるようにハウジング３１の右側部に、第１実施形態と同様のバッテリ取付部（不図示）を介して取り付けられている。各バッテリ１０が図９の斜線付き矢印で示す方向に押し込まれることにより、各バッテリ１０側の取付部（不図示）とハウジング３１側のバッテリ取付部（不図示）が結合されて、ベルトサンダの電源端子（不図示）に２個のバッテリ１０が直列に接続されるように構成されている。
【００２３】
２個のバッテリ１０は、ハウジング３１の右側部に取り付けられ、上下方向がハウジング３１の上下幅内に収められ、左右方向はハウジング３１の右方に僅かに突出した状態とされ、前後方向はハウジング３１の前後長内に収められている。バッテリ１０のハウジング３１から右方への突出量を小さく抑えるため、バッテリ１０の前後、左右、上下の各寸法の中で、左右方向が最も小さくなるようにバッテリ１０を配置している。このため、２個のバッテリ１０がベルトサンダを使用する作業に殆ど影響を与えない。
この第４実施形態によれば、上述の第１実施形態と同様な作用効果を達成することができる。
【００２４】
＜第５実施形態＞
図１２〜１４によって本発明の第５実施形態を説明する。第５実施形態が上述の第１実施形態に対して特徴とする点は、２個のバッテリ１０のベルトサンダ内での取付位置を変えた点であり、その他は両者全く同一のため、同一部分には同一符号を付して再度の説明は省略する。
第５実施形態のベルトサンダでは、端子電圧が１８Ｖのバッテリ１０が、２個直列に接続されるように、環状とされたハンドル４１Ａの後端部の環状外側に、第１実施形態と同様のバッテリ取付部（不図示）を介して取り付けられている。このため、ハンドル４１Ａの後端部の環状外側には、２個のバッテリを並べた大きさに相当する大きさのフランジ部４４が形成されている。各バッテリ１０が図１２の斜線付き矢印で示す方向に押し込まれることにより、各バッテリ１０側の取付部（不図示）とフランジ部４４側のバッテリ取付部（不図示）が結合されて、ベルトサンダの電源端子（不図示）に２個のバッテリ１０が直列に接続されるように構成されている。
【００２５】
２個のバッテリ１０は、上下方向がハンドル４１Ａのフランジ部４４の後端部の上下幅内に収められ、左右方向はベルトサンダの左右幅内に収められ、前後方向はハンドル４１Ａの後方に突出されている。バッテリ１０のハンドル４１Ａの後方への突出量を小さく抑えるため、バッテリ１０の前後、左右、上下の各寸法の中で、前後方向が最も小さくなるようにバッテリ１０を配置している。このため、２個のバッテリ１０がベルトサンダを使用する作業に殆ど影響を与えない。
この第５実施形態によれば、上述の第１実施形態と同様な作用効果を達成することができる。
【００２６】
＜第６実施形態＞
図１５〜１７によって本発明の第６実施形態を説明する。第６実施形態は、上述の各実施形態に比べて、形状が複雑な被研磨材に対する研磨作業や手狭な場所での研磨作業を可能とするベルトサンダであり、このベルトサンダは定格電圧が３６Ｖで、電源として１８Ｖバッテリ１０を２個直列接続して使用している。この第６実施形態において、バッテリ１０を２個直列接続して使用している点を除いて従来公知のベルトサンダと同一であり、このベルトサンダについての詳細な説明は省略する。
なお、図１３〜１５の各図中、交差する矢印で示す各方向は、ベルトサンダを中心として、それぞれ表記したとおりの方向を示している。また、図１３〜１５の各図中、本発明において重要なバッテリ１０には目立つようにハッチングを施している。図面に関する以上の説明は、以下の各実施形態の各対応図において同様である。
【００２７】
ベルトサンダは、バッテリ１０を電源とするモータ（不図示）によってサンディングベルト２１Ａが回転作動されるように構成されている。サンディングベルト２１Ａは、上述の各実施形態のサンディングベルト２１に比べて細幅の無端ベルト状に形成され、前後に配置された一対のローラ２２Ａ、２２Ａによって回転可能とされている。また、一対のローラ２２Ａ、２２Ａのうち後方側のローラ２２Ａは、上記モータによって回転駆動されている。一対のローラ２２Ａ、２２Ａは互いに比較的大きく離間されており、サンディングベルト２１Ａは細長く形成されている。
モータはハウジング３１Ａによって被われており、サンディングベルト２１Ａは研磨体カバー２３Ａによって後方側が部分的に被われている。研磨体カバー２３Ａは、ハウジング３１Ａに一体に設けられている。
ハウジング３１Ａの上部には、サンディングベルト２１Ａがハウジング３１Ａから延びる方向とは反対方向である後方へ向けてハンドル４１Ｂが設けられ、ハンドル４１Ｂは作業者が把持するのに適当な太さに形成されている。ハンドル４１の下部で、ハウジング３１Ａに近い側には、モータの起動及び停止を指令するスイッチ操作部４３Ａが設けられている。
【００２８】
２個のバッテリ１０は、ハウジング３１Ａの外表面上の前後位置で、左右方向に関してハンドル４１Ｂから離間した位置にそれぞれ取り付けられ、この取付部には、第１実施形態と同様のバッテリ取付部（不図示）が設けられている。
各バッテリ１０が図１６の斜線付き矢印で示す方向に押し込まれることにより、各バッテリ１０側の取付部（不図示）とハウジング３１Ａの外表面側のバッテリ取付部（不図示）が結合されて、ベルトサンダの電源端子（不図示）に２個のバッテリ１０が直列に接続されるように構成されている。
２個のバッテリ１０は、上述のようにハウジング３１Ａの外表面上に取り付けられたとき、前後方向はハウジング３１Ａの太さを大きくするように突出するが、ベルトサンダの前後長の範囲内に収まり、左右方向はハウジング３１Ａの左右幅の範囲内に収まり、上下方向はハウジング３１Ａの上下幅の範囲内に収まる。バッテリ１０の前後方向への突出量を小さく抑えるため、バッテリ１０の前後、左右、上下の各寸法の中で、前後方向が最も小さくなるようにバッテリ１０を配置している。このため、２個のバッテリ１０がベルトサンダを使用する作業に殆ど影響を与えない。
この第６実施形態によれば、上述の第１実施形態と同様な作用効果を達成することができる。
【００２９】
＜第７実施形態＞
図１８〜２０によって本発明の第７実施形態を説明する。第７実施形態が上述の第６実施形態に対して特徴とする点は、２個のバッテリ１０をハウジング３１Ｂに取り付けるに際してアダプタ３３を介した点であり、その他は両者全く同一のため、同一部分には同一符号を付して再度の説明は省略する。
ベルトサンダにも、用途に応じて形状や大きさがいくつか用意されており、ハウジングの形状や大きさが違うと、そのハウジングの外表面上にバッテリを取り付けようとするとき、バッテリ取付部もハウジングの種類毎に用意しなければならなくなる。この問題に対し、この第７実施形態ではアダプタ３３を使用することによりバッテリ取付部の共通化を図っている。
第７実施形態のベルトサンダのハウジング３１Ｂは、第６実施形態におけるハウジング３１Ａに比べて直径が小さなものであり、ハウジング３１Ｂの外表面にアダプタ３３を被せることにより、バッテリ１０を取り付けるためのバッテリ取付部を、第６実施形態におけるものと同一としている。
【００３０】
２個のバッテリ１０は、図１９の斜線付き矢印で示す方向に押し込まれることにより、各バッテリ１０側の取付部（不図示）とアダプタ３３側のバッテリ取付部（不図示）が結合されて、ベルトサンダの電源端子（不図示）に２個のバッテリ１０が直列に接続されるように構成されている。
上述のように、第７実施形態は第６実施形態に比べて、ハウジング３１Ｂの外表面にアダプタ３３を取り付けた点が違うのみで、他の点は全て両者同一であるため、第６実施形態と同様に、２個のバッテリ１０がベルトサンダを使用する作業に殆ど影響を与えない。
また、第７実施形態によれば、上述の第１実施形態と同様な作用効果を達成することができる。
【００３１】
＜第８実施形態＞
図２１〜２２によって本発明の第８実施形態を説明する。第８実施形態が上述の第６実施形態に対して特徴とする点は、２個のバッテリ１０のベルトサンダ内での取付位置を変えた点であり、その他は両者全く同一のため、同一部分には同一符号を付して再度の説明は省略する。
第８実施形態では、ハンドル４１Ｃの形状を、第６実施形態のハンドル４１Ｂに比べて変更しており、ハンドル４１Ｃは、ハウジング３１Ａの後方に環状を成すように構成されている。従って、ハンドル４１Ｃに設けられたスイッチ操作部４３Ａは環状部の内側に配置されている。環状を成すハンドル４１Ｃの環状外周側の下部には、２個のバッテリ１０が取り付けられている。
２個のバッテリ１０は、図２２の斜線付き矢印で示す方向に押し込まれることにより、各バッテリ１０側の取付部（不図示）とハンドル４１Ｃ側のバッテリ取付部（不図示）が結合されて、ベルトサンダの電源端子（不図示）に２個のバッテリ１０が直列に接続されるように構成されている。
【００３２】
２個のバッテリ１０は、その前後方向がハンドル４１Ｃの前後長の範囲内に収まり、左右方向が略ハウジング３１Ａの左右幅の範囲内に収まるようにされている。一方、２個のバッテリ１０は、ハンドル４１Ｃの下方には突出しているが、バッテリ１０の前後、左右、上下の各寸法の中で、上下方向が最も小さくなるようにバッテリ１０を配置して、上記突出量を抑制している。このため、２個のバッテリ１０がベルトサンダを使用する作業に殆ど影響を与えない。
この第８実施形態によれば、上述の第１実施形態と同様な作用効果を達成することができる。
【００３３】
以上、特定の実施形態について説明したが、本発明は、それらの外観、構成に限定されず、本発明の要旨を変更しない範囲で種々の変更、追加、削除が可能である。例えば、
１．上記実施形態では、バッテリとして１８Ｖバッテリを使用する場合について説明したが、１４．４Ｖバッテリ等、他の電圧のバッテリを用いても良い。本発明の課題を達成するためには、使用するバッテリは最も普及しているバッテリと同一規格のものを選択することが望ましい。
２．上記実施形態では、２個のバッテリを直列接続して使用する場合について説明したが、直列接続するバッテリの数は３個以上としても良い。本発明の課題を達成するためには、最も普及しているバッテリと同一規格のバッテリを使用できるように、適用する手持式電動研磨機の定格電圧に合せてバッテリの使用個数を決定することが望ましい。例えば、普及しているバッテリが１８Ｖバッテリで、手持式電動研磨機の定格電圧が５４Ｖの場合、使用するバッテリは１８Ｖバッテリとし、使用個数は３個とする。
【符号の説明】
【００３４】
１０    バッテリ
２１、２１Ａ  サンディングベルト（研磨体）
２２、２２Ａ  ローラ
２３、２３Ａ  研磨体カバー
３１、３１Ａ、３１Ｂ  ハウジング
３２    ベルトカバー
３３    アダプタ
４１、４１Ａ、４１Ｂ、４１Ｃ  ハンドル
４２    前方グリップ
４３、４３Ａ  スイッチ操作部
４４    フランジ部
５１    研磨粉排出口
６０    バッテリ取付部
６１、６２  接続端子
６３    レール受部
６４    爪係止部
【図１】
2014148018.tif 000003
【図２】
2014148018.tif 000004
【図３】
2014148018.tif 000005
【図４】
2014148018.tif 000006
【図５】
2014148018.tif 000007
【図６】
2014148018.tif 000008
【図７】
2014148018.tif 000009
【図８】
2014148018.tif 000010
【図９】
2014148018.tif 000011
【図１０】
2014148018.tif 000012
【図１１】
2014148018.tif 000013
【図１２】
2014148018.tif 000014
【図１３】
2014148018.tif 000015
【図１４】
2014148018.tif 000016
【図１５】
2014148018.tif 000017
【図１６】
2014148018.tif 000018
【図１７】
2014148018.tif 000019
【図１８】
2014148018.tif 000020
【図１９】
2014148018.tif 000021
【図２０】
2014148018.tif 000022
【図２１】
2014148018.tif 000023
【図２２】
2014148018.tif 000024
【図２３】
2014148018.tif 000025